(57)【特許請求の範囲】
【請求項１】
検査計器によるＥＳＤイベントを低減するための方法であって、
前記検査計器のディスプレイに画像を表示することと、
保存された画像としてメモリに前記画像を保存することと、
前記ディスプレイの一部である電圧ブースト回路によって生成された電圧を監視することにより、前記ディスプレイでの電気サージを検出することと、
所定の範囲内ではない電気サージの規模を検出することと、
前記電気サージの前記規模が前記所定の範囲内ではないときに、前記ディスプレイを再初期化して、以降のコマンドに基づいて前記ディスプレイを更新することができ、前記ディスプレイが更新され、以前保存された前記画像を表示することで、ＥＳＤイベント中に前記ディスプレイがフリーズしないようにすることと、を含む、方法。
【請求項２】
前記ディスプレイが液晶ディスプレイを備える、請求項１に記載の方法。
【請求項３】
前記電気サージが静電放電を含む、請求項１に記載の方法。
【請求項４】
前記電気サージが、前記ディスプレイに対する印加電圧を弱める、請求項１に記載の方法。
【請求項５】
前記電気サージが、前記ディスプレイに対する印加電圧を増加させる、請求項１に記載の方法。
【請求項６】
前記監視することがコンパレータ回路を含む、請求項１に記載の方法。
【請求項７】
前記コンパレータ回路が、マイクロプロセッサに前記ディスプレイを再初期化させる、請求項６に記載の方法。
【請求項８】
前記監視することが、アナログデジタル変換器に接続されているマイクロプロセッサを備える回路を含み、前記回路が電気サージを監視するように構成される、請求項１に記載の方法。
【請求項９】
前記コンパレータ回路が、前記ディスプレイ及び前記検査計器のマイクロプロセッサに電気的に接続されている、請求項６に記載の方法。
【請求項１０】
前記コンパレータ回路が、前記ディスプレイの前記電圧ブースト回路及び前記検査計器のマイクロプロセッサに電気的に接続されている、請求項９に記載の方法。
【請求項１１】
前記所定の範囲が下限及び上限を含み、前記下限が、前記コンパレータ回路のオペアンプの正入力に与えられる基準電圧に基づいており、前記上限が無限である、請求項１０に記載の方法。
【請求項１２】
前記所定の範囲が下限及び上限を含み、前記下限が、前記コンパレータ回路のオペアンプの正入力に与えられる基準電圧に基づいており、前記上限が前記電圧ブースト回路によって生成された電圧の上限仕様値に基づいている、請求項１０に記載の方法。
【請求項１３】
前記下限が約１０ボルト未満である、請求項１１に記載の方法。
【請求項１４】
前記下限が約１０ボルト未満であり、前記上限が約１２ボルト超である、請求項１１又は１２に記載の方法。
【請求項１５】
前記検査計器に検査ストリップを結合することと、
前記検査ストリップに検体を付加することと、
前記検体の濃度を測定することと、を更に含む、請求項１に記載の方法。
【請求項１６】
前記測定することが、グルコースから酸化型への物理的転換を含む、請求項１５に記載の方法。
【請求項１７】
検査計器の上に配設され、画像を表示するように構成されるディスプレイと、
保存された画像として画像を保存するように構成される前記検査計器内のメモリと、
前記ディスプレイの一部である電圧ブースト回路によって生成された電圧を監視することにより、前記ディスプレイでの電気サージを検出するように構成される前記検査計器内のコンパレータ回路であって、前記ディスプレイ及びマイクロプロセッサに電気的に接続されている、コンパレータ回路と、
電気サージの規模が所定の範囲内ではないときに、前記ディスプレイを再初期化して、以降のコマンドに基づいて前記ディスプレイを更新することができ、前記ディスプレイが更新され、以前保存された前記画像を表示することで、ＥＳＤイベント中にディスプレイがフリーズしないように構成される前記マイクロプロセッサと、を含む、検査計器。
【請求項１８】
前記メモリが前記マイクロプロセッサに一体化されており、
前記電気サージを吸収するように構成される静電容量回路であって、前記検査計器に電気的に接続されている、静電容量回路、を更に含む、請求項１７に記載の検査計器。
【請求項１９】
前記ディスプレイが液晶ディスプレイを備える、請求項１７に記載の検査計器。
【請求項２０】
前記コンパレータ回路が、前記マイクロプロセッサに前記ディスプレイを再初期化させるように構成される、請求項１７に記載の検査計器。
【請求項２１】
前記コンパレータ回路が、前記ディスプレイの前記電圧ブースト回路に電気的に接続されている、請求項１７に記載の検査計器。
【請求項２２】
前記所定の範囲が下限及び上限を含み、前記下限が、前記コンパレータ回路のオペアンプの正入力に与えられる基準電圧に基づいており、前記上限が無限である、請求項１７に記載の検査計器。
【請求項２３】
前記所定の範囲が下限及び上限を含み、前記下限が、前記コンパレータ回路のオペアンプの正入力に与えられる基準電圧に基づいており、前記上限が前記電圧ブースト回路によって生成された電圧の上限仕様値に基づいている、請求項１７に記載の検査計器。
【請求項２４】
前記下限が約１０ボルト未満である、請求項２２に記載の検査計器。
【請求項２５】
前記下限が約１０ボルト未満であり、前記上限が約１２ボルト超である、請求項２２又は２３に記載の検査計器。
【発明の詳細な説明】
【技術分野】
【０００１】
本発明は、ＥＳＤイベントを低減するための方法及び装置に関する。
【背景技術】
【０００２】
特定の状況下では、静電放電（ＥＳＤ）は、医療機器に問題を生じさせることがある。医療機器の典型的な操作は、２５キロボルト以上のＥＳＤ電圧を発生させることがある。それぞれの放電は持続時間が極めて短いが、このように高い電圧は、メモリの損失、装置のリセット、又は更には装置の構成要素の溶断若しくは破裂をもたらす物理的損傷など電子装置を崩壊させることがある。例えば十分に強力なＥＳＤイベントは、医療機器のディスプレイをフリーズさせることがある。この場合、装置は動かないように見える。医療機器のディスプレイは、投入されるＥＳＤの発生源の近くに位置することが多い電子的構成要素であるために特に脆弱である。
【発明の概要】
【発明が解決しようとする課題】
【０００３】
したがって、出願人らは、医療機器のディスプレイ又は他の高感度な電子的構成要素におけるＥＳＤイベントのリスクを更に低減する必要性があると考える。
【課題を解決するための手段】
【０００４】
検査計器のディスプレイに画像を表示すること、メモリに画像を保存すること、ディスプレイでの電気サージを監視すること、所定の範囲内ではない電気サージの規模を検出すること、及び電気サージの規模が所定の範囲内ではないときに、ディスプレイを更新して、保存された画像を表示することによって達成できる、検査計器の操作方法が提供される。
【０００５】
ドッキングステーションに検査計器を結合すること、ドッキングステーションのディスプレイに画像を表示すること、メモリに画像を保存すること、ディスプレイでの電気サージを監視すること、所定の範囲内ではない電気サージの規模を検出すること、及び電気サージの規模が所定の範囲内ではないときに、ディスプレイを更新して、保存された画像を表示することによって達成できる、ドッキングステーションの操作方法が提供される。
【０００６】
嵌合面、ディスプレイ、メモリ、コンパレータ、及びマイクロプロセッサを備えるドッキングステーションが提供される。嵌合面は、検査計器に結合されるように構成される。ディスプレイはドッキングステーションの上に配設され、画像を表示するように構成される。ドッキングステーション内のメモリは、画像を保存するように構成される。ドッキングステーション内のコンパレータ回路は、ディスプレイでの電気サージを監視するように構成される。コンパレータ回路は、ディスプレイ及びマイクロプロセッサに電気的に接続されている。マイクロプロセッサは、電気サージの規模が所定の範囲内ではないときに、ディスプレイを保存された画像に更新し、ＥＳＤイベント中にディスプレイがフリーズしないように構成される。
【０００７】
ディスプレイ、メモリ、コンパレータ、及びマイクロプロセッサを備える検査計器が提供される。ディスプレイは検査計器の上に配設され、画像を表示するように構成される。検査計器内のメモリは、画像を保存するように構成される。検査計器内のコンパレータ回路は、ディスプレイでの電気サージを監視するように構成され、コンパレータ回路は、ディスプレイ及びマイクロプロセッサに電気的に接続されている。マイクロプロセッサは、電気サージの規模が所定の範囲内ではないときに、ディスプレイを保存された画像に更新し、ＥＳＤイベント中にディスプレイがフリーズしないように構成される。
【０００８】
本明細書に含まれ明細書の一部をなす添付の図面は、本発明の現時点における好ましい実施形態を示すものであり、前述した一般的な説明及び後述する詳細な説明とともに、発明の特徴を説明する役割を果たすものである。
【図面の簡単な説明】
【０００９】
【図１】ドッキングステーションの上面斜視図。
【図２】ドッキングステーションの底面図。
【図３】検査ストリップに接続されている検査計器の平面図。
【図４】検査計器及びサーバに結合されているドッキングステーションの上面斜視図。
【図５】ドッキングステーションの機能構成要素の概略を示す。
【図６】ＥＳＤを吸収するための静電容量回路の例示の実施形態を示す。
【図７Ａ】電気サージを監視するためのコンパレータ回路を備える回路の例示の実施形態を示す。
【図７Ｂ】電気サージを監視するためのコンパレータ回路を備える回路の例示の実施形態を示す。
【図８Ａ】マイクロプロセッサの例示の実施形態を示す。
【図８Ｂ】マイクロプロセッサの例示の実施形態を示す。
【図９】検査計器の機能構成要素の概略を示す。
【発明を実施するための形態】
【００１０】
以下の詳細な説明は、図面を参照しつつ読まれるべきもので、異なる図面中、同様の要素は同様の参照符号にて示してある。図面は必ずしも一定の縮尺を有さず、特定の例示の実施形態を示したものであって、本発明の範囲を限定するものではない。詳細な説明は本発明の原理を限定するものではなく、あくまでも例として説明するものである。この説明文は、当業者による発明の製造及び使用を明確に可能ならしめるものであり、出願時における発明を実施するための最良の形態と考えられるものを含む、発明の複数の実施形態、適応例、変形例、代替例、並びに使用例を述べるものである。
【００１１】
本明細書で任意の数値又は数値の範囲について用いる「約」又は「およそ」という用語は、構成要素の部分又は構成要素の集合が、本明細書で述べるその所望の目的に従って機能することを可能とするような適当な寸法の許容誤差を示すものである。更に、本明細書で用いる「患者」、「ホスト」、「ユーザー」、及び「被験者」という用語は任意のヒト又は動物の被験対象を指し、システム又は方法をヒトにおける使用に限定することを目的としたものではないが、ヒト患者における本発明の使用は好ましい実施形態を代表するものである。
【００１２】
グルコース測定器などの医療機器は、ユーザーの生理学的状態を反映するデータを経時的に収集できる。データが収集されると、ユーザー又は医療提供者は、サーバにデータを転送して分析できるようにすることが推奨される。モデムを内蔵するドッキングステーションは、グルコース測定器と接続し、次にデータをサーバに転送するために使用されてよい。ドッキングステーションを使用したデータ転送は、ユーザーが手動でデータを入力したり、グルコース測定器に接続するためのアダプタケーブルを提供したりする必要のない、自動プロセスであってよい。
【００１３】
図１、２、及び４は、第１のディスプレイ１０２、第１のユーザーインターフェースボタン１０４、嵌合面１０６、及びモデムポート１０８を備えるドッキングステーション１００を示す。第１のディスプレイ１０２は、画像を表示するように構成される液晶ディスプレイ又は双安定ディスプレイであってよい。画像の例としては、医療機器からデータをアップロードする方法をユーザーに指示するユーザーインターフェース及びダウンロード済みのデータの割合を示すステータスインジケータなどが挙げられる。嵌合面１０６は、医療機器のデータポートと接触して、データをドッキングステーション１００に転送できるように構成されてよい。モデムポート１０８は、図２及び４に示されるように、電話線３０２に接続し、データをサーバ３００に転送できるように構成されてよい。ドッキングステーション１００は、受け台とも呼ばれることに留意されたい。
【００１４】
図３は別の医療機器を示す。この場合は、検査計器２００である。検査計器の例は、ＬｉｆｅＳｃａｎ  Ｉｎｃ．（Ｍｉｌｐｉｔａｓ，Ｃａｌｉｆｏｒｎｉａ）から市販されているＯｎｅＴｏｕｃｈ（登録商標）Ｕｌｔｒａ（登録商標）２グルコース測定器であってよい。検査計器の例は、米国特許出願公開第２００７／００８４７３４号及び同第２００７／００８７３９７号に見出すことができ、これらは参照によって本明細書に組み込まれる。検査計器２００は、第２のディスプレイ２０２、第２のユーザーインターフェースボタン２０４、ストリップポートコネクタ２０９、データポート２０６、及びハウジング２０７を備える。ドッキングステーション１００と同様に、第２のディスプレイ２０２は、画像を表示するように構成される液晶ディスプレイ又は双安定ディスプレイであってよい。画像の例としては、グルコース濃度、日時、エラーメッセージ、及び検査の実行方法をユーザーに指示するユーザーインターフェースが挙げられる。
【００１５】
ストリップポートコネクタ２０９は、図３に示されるように、検査ストリップ２１１と嵌合するように構成されてよい。検査ストリップの例は電子化学検査ストリップであってよく、ＬｉｆｅＳｃａｎ  Ｉｎｃ．（Ｍｉｌｐｉｔａｓ，Ｃａｌｉｆｏｒｎｉａ）から市販されているＯｎｅＴｏｕｃｈ（登録商標）Ｕｌｔｒａ（登録商標）グルコース検査ストリップであってよい。検査ストリップの例は、米国特許第５，７０８，２４７号、同第５，９５１，８３６号、同第６，２４１，８６２号、同第６，２８４，１２５号、同第６，４１３，４１０号、同第６，７３３，６５５号、同第７，１１２，２６５号、同第７，２４１，２６５号、及び同第７，２５０，１０５号に見出すことができ、これらは参照によって本明細書に組み込まれる。検査計器１００に検査ストリップ２１１を適切に嵌合させると、血液検体２１５を検体受け入れチャンバ２１３にのせることができる。一実施形態では、検査ストリップ２１１は、選択的かつ定量的に検体を別の化学形態に転換できる酵素を含んでよい。例えば、検査ストリップ２１１は、グルコースを酸化型へと物理的に転換できるように、ヘキサシアノ鉄酸塩及びグルコースオキシターゼを含んでよい。
【００１６】
ドッキングステーション１００の嵌合面１０６は、図４に示されるように、検査計器２００のデータポート２０６と嵌合するように構成されてよい。嵌合面１０６は、ハウジング２０７の形状にぴったり一致する陥凹部を備えてよい。嵌合面１０６は、図２に示されるように、データポート２０６に接続する電気接点１２８も備えてよい。データポート２０６は、嵌合面１０６の雄型電気接点に接続するように構成される、雌型ステレオジャックレセプタの形状であってよい。嵌合面１０６は電気的インターフェースに限定されるべきではなく、ＲＦ、マイクロ波、誘導性、及びＩＲなど他のデータ転送回路を用いることができることに留意されたい。
【００１７】
図５は、ドッキングステーション１００の機能構成要素の例示の概略を示しており、第１の静電容量回路１１０、第１のメモリ１１２、モデム１１４、第１の時計１１６、第１の電源１１８、第１のコンパレータ回路１２０、及び第１のマイクロプロセッサ１２２を更に備える。ＲＦ、マイクロ波、ＩＲ、及び携帯電話ネットワークなど他の電子的構成要素を使用できるため、ドッキングステーション１００は、データ転送にモデム１１４を使用することに限定されるべきではない。静電容量回路１１０は、電気サージ又はＥＳＤストライクの抑制に役立つ、第１のディスプレイ１０２に比較的近接して配置される複数個のコンデンサを備えてよい。
【００１８】
図６には、第１の静電容量回路１１０の例示の実施形態が示される。第１の静電容量回路１１０は、第１のディスプレイ用静電容量回路１２４及びバックライト用静電容量回路１２６を備える。第１のディスプレイ１０２は、暗い場所でより簡単に第１のディスプレイ１０２を読み取れるようにするためのバックライトを備えてよい。第１のディスプレイ用静電容量回路１２４は、５個のコンデンサ（Ｃ１２４、Ｃ１２５、Ｃ７７、Ｃ７８、及びＣ７９）を並列に備えてよく、回路の一端は第１の電源１１８に接続されており、もう一端は接地されている。バックライト用静電容量回路１２６も、５個のコンデンサ（Ｃ１２６、Ｃ１２７、Ｃ８０、Ｃ８１、及びＣ８２）を並列に備えてよく、回路の一端はバックライト用の電源に接続されており、もう一端は接地されている。第１のディスプレイ用静電容量回路１２４及びバックライト用静電容量回路１２６のコンデンサの容量値は、約０．１マイクロファラッド〜約２２マイクロファラッドの範囲であってよい。
【００１９】
静電容量回路１１０はＥＳＤによる損傷のリスク低減に役立つが、それにもかかわらず、十分に大きいＥＳＤストライクは、例えば第１のディスプレイ１０２をフリーズさせるなど、第１のディスプレイ１０２に問題を生じさせることがある。ドッキングステーション１００は、接地した電話線３０２に接続していることが多いため、他の医療機器よりもＥＳＤストライクの影響を受けやすいことがある。電話線３０２が接地に接続している場合、ＥＳＤは、ドッキングステーション１００の電子機器に伝播しやすいことがある。ドッキングステーションが無線でサーバにデータを転送するように構成されている、又は接地した電話線から分離されている場合、ＥＳＤはドッキングステーションの電子機器ではなく、バッテリーの負極に向かうことがある。しかし出願人らは、本明細書で述べるように、ドッキングステーション１００は、通常、接地に接続されており、より効果的なＥＳＤに対する保護が必要になると考える。
【００２０】
ＥＳＤストライクは、第１のディスプレイ１０２に対する印加電圧を増加させるか、減少させることがある。例えばＥＳＤは、第１の電源１１８から第１のディスプレイ１０２への印加電圧を弱めることがある。あるいは特定の状況下で、ＥＳＤは、第１の電源１１８からの印加電圧を増加させることがある。一実施形態では、電圧ブースト回路を使用して、第１の電源１１８からの電圧よりも高い上昇電圧を第１のディスプレイ１０３に印加できる。第１のディスプレイに対する印加電圧が指定範囲内ではない場合、第１のディスプレイ１０２は、例えば、全画素が消灯する、全画素が点灯する、消灯した画素と点灯した他の画素とがランダムに混在する、又は全画素が最後の画像から変化しないなど、フリーズ状態を示すことがある。特定の条件下において、フリーズした第１のディスプレイ１０２は、ドッキングステーション１００のバッテリーを取り外してから再挿入することによって、又は電源を切断してから投入することによって元の状態に戻すことができる。しかし、バッテリー又は電源スイッチの操作は時間がかかり、ユーザーにとって面倒であり、混乱を引き起こす場合があるため、望ましくない。
【００２１】
一実施形態では、ドッキングステーション１００は、簡略化のために電源スイッチ又は交換式バッテリーを有さないように設計されてよい。検査計器２００が嵌合面１０６と嵌合すると、ドッキングステーション１００の電源が自動的に投入されるため、ユーザーが電源を投入する必要はない。ドッキングステーション１００は、動作が行われなくなってから所定の時間が経過すると、自動的に電源を切断してよい。また、装置の耐用期間はバッテリーを使用できるように設計されているため、ユーザーがバッテリーを交換する必要がない。このような場合、バッテリードア区画は封止されてよい。この実施形態では、バッテリーを取り外してから再挿入することによって、又は電源を切断してから投入することによってＥＳＤストライクから回復できないため、出願人らは、より強固なＥＳＤメカニズムに対する必要性が存在すると考える。
【００２２】
第１のメモリ１１２は、図５に示されるように、第１のディスプレイ１０２に表示される画像を保存するように構成されてよい。一実施形態では、第１のメモリ１１２は、第１のマイクロプロセッサ１２２に一体化されてよい。モデム１１４は、電話線３０２を介してドッキングステーション１００からサーバ３００にデータを転送するように構成されてよい。第１の電源１１８は、ＡＣ電源又はバッテリーのいずれかによってドッキングステーション１００に電源を供給するように構成されてよい。第１のディスプレイ１０２は、第１の電源１１８からの電圧を増加させるように構成される電圧ブースト回路を備えてよい。電圧ブースト回路は、第１のディスプレイ１０２に一体化されてよい。
【００２３】
第１のコンパレータ回路１２０は、図５に示されるように、第１のディスプレイ１０２での電気サージを監視するように構成されてよい。一実施形態では、第１のコンパレータ回路１２０は、第１のディスプレイ１０２及び第１のマイクロプロセッサ１２２に電気的に接続されてよい。より詳細には、第１のコンパレータ回路１２０は、第１のディスプレイ１０２の電圧ブースト回路及び第１のマイクロプロセッサ１２２に電気的に接続されてよい。
【００２４】
図７Ａ及び７Ｂには、第１のコンパレータ回路１２０を備える回路の例示の実施形態が示されている。図７Ａにおいて、ピン８〜１３は第１のディスプレイ１０２用の様々な電圧ブーストであり、それぞれＶ５、Ｖ４、Ｖ３、Ｖ２、Ｖ１、及びＶ０として示される。第１のコンパレータ回路１２０は、図７ＢでＵ１Ａとラベル付けされたオペアンプの形状である。正入力３は、約１．６５ボルトの一定電圧を受ける。負入力２は、低減電圧Ｖ０（約１．８ボルト〜約２ボルト）を受ける。この場合、Ｖ０は約０．１６７倍低減される。電圧Ｖ０は、ピン１３で第１のディスプレイ１０２に対する印加電圧を示し、約１１ボルト〜約１２ボルトの範囲である。Ｖ０は、第１のディスプレイ１０２の一部である電圧ブースト回路によって生成された電圧である。第１のコンパレータ回路１２０は、最高の電圧振幅を有する電圧ブースト（この場合はＶ０）を監視し、電圧の低下を比較的容易に検出するようにしてよい。したがって、ＥＳＤによりピン１３で電圧ブーストが発生して切断される場合、Ｖ０における電圧の低下は、他の電圧ブースト（Ｖ１、Ｖ２、Ｖ３、Ｖ４、及びＶ５）と比較して最大規模の変化となる。別の実施形態では、例えば図７ＢのオペアンプＵ１Ｂを使用するなど、ＥＳＤイベントに対して複数の電圧ブーストが監視されてよい。
【００２５】
出力１は、電気サージ又はＥＳＤの結果として、電圧Ｖ０が指定の電圧範囲から著しく増加又は減少したときに、高論理状態をもたらすように構成される。電圧Ｖ０が指定の電圧範囲にとどまる場合、出力１は低論理状態をもたらす。出力１は、第１のマイクロプロセッサ１２２のインタラプトに接続されている。より詳細には、出力１はピン１７に接続されており、このピンは、図８ＢでＬＣＤ＿Ｖｂｏｏｓｔとラベル付けされている。第１のコンパレータ１２０は図７Ｂに示される電気回路に限定される必要はなく、Ａ／Ｄ変換器及び第１のディスプレイ１０２に対する印加電圧を監視するための別のマイクロプロセッサを備える回路など他の電子回路で代用されてよい。
【００２６】
第１のマイクロプロセッサ１２２は、電気サージの規模が所定の範囲内ではないときに、第１のディスプレイ１０２をリセットする及び／又は保存された画像に更新するように構成されてよい。また第１のマイクロプロセッサ１２２は、モデム１１４を介した検査計器２００からのデータダウンロードプロセス及びサーバ３００へのアップロードプロセスを制御する、第１のメモリ１１２内のファームウェア又はソフトウェアを実行するように構成されてよい。第１のマイクロプロセッサ１２２は、嵌合面１０６、第１のディスプレイ１０２、第１のメモリ１１２、及び第１のコンパレータ回路１２０に電気的に接続され、ＥＳＤイベント中に第１のディスプレイ１０２がフリーズしないようにしてよい。図８Ａ及び８Ｂには、第１のマイクロプロセッサ１２２の例示の実施形態が示されている。第１のマイクロプロセッサ１２２は、第１のコンパレータ回路１２０の出力１に接続されているピン１７及び第１のディスプレイ１０２のリセットピンに接続されているピン４３を備える。出力１からピン１７に高論理状態を受けると、第１のマイクロプロセッサは、第１のディスプレイ１０２をリセットしてから、以前に保存された画像で第１のディスプレイ１０２を更新してよい。
【００２７】
以下では、ドッキングステーション１００に類似の電子的構成要素を使用するＥＳＤ低減メカニズムを実装する検査計器２００について説明する。図９は、検査計器２００の機能構成要素の概略を示しており、第２の静電容量回路２１０、第２のメモリ２１２、第２の時計２１６、第２の電源２１８、第２のコンパレータ回路２２０、ポテンシオスタット２２４、電流測定回路２２６、及び第２のマイクロプロセッサ２２２を更に備える。
【００２８】
第２の静電容量回路２１０は、第１の静電容量回路１１０に類似していてよい。第２のメモリ２１２は、第２のディスプレイ２０２に表示される画像を保存するように構成されてよい。第２のコンパレータ回路２２０は、第２のディスプレイ２０２での電気サージを監視するように構成されてよい。一実施形態では、第２のコンパレータ回路２２０は、第２のディスプレイ２０２及び第２のマイクロプロセッサ２２２に電気的に接続されてよい。第２のコンパレータ回路２２０は、第１のコンパレータ回路１２０に類似していてよい。
【００２９】
第２のディスプレイ２０２は、第２の電源２１８からの電圧を増加させるように構成される電圧ブースト回路を備えてよい。電圧ブースト回路は、第２のディスプレイ２０２に一体化されてよい。
【００３０】
ポテンシオスタット２２４は、少なくとも２つの電極間に試験電圧を印加するための電子回路を備えてよい。電流測定回路２２６は、印加された試験電圧に起因する試験電流の規模を定量化するように構成される回路を備えてよい。電流測定回路２２６の例としては、電流電圧変換器が挙げられる。
【００３１】
第２のマイクロプロセッサ２２２は、電気サージの規模が所定の範囲内ではないときに、第２のディスプレイ２０２をリセットする及び／又は保存された画像に更新するように構成されてよい。第２のマイクロプロセッサ２２２は、第２のディスプレイ２０２、第２のメモリ２１２、及び第２のコンパレータ回路２２０に電気的に接続され、ＥＳＤイベント中に第２のディスプレイ２０２がフリーズしないようにしてよい。より具体的には、第２のマイクロプロセッサ２２２は、第２のディスプレイ２０２の電圧ブーストに電気的に接続されてよい。
【００３２】
ドッキングステーション１００及び検査計器２００について説明したので、以下ではドッキングステーション１００の操作方法について説明する。検査計器２００の操作方法についても説明する。ドッキングステーション１００の操作方法は、検査計器２００をドッキングステーション１００に結合することを含む。検査計器２００のデータポート２０６は、ドッキングステーション１００の嵌合面１０６に接続されてよい。ハウジング２０７は、検査計器２００をドッキングステーション１００に結合したときに、嵌合面１０６の陥凹部分にぴったり一致してよい。
【００３３】
検査計器２００をドッキングステーション１００に結合すると、ドッキングステーション１００は低電力のスリープモードからの電源投入、検査計器２００からのデータのダウンロード、データの処理、及び処理済みデータのサーバ３００への転送を実行してよい。ドッキングステーション１００がサーバ３００にデータを正常に転送できない場合、ドッキングステーション１００は自動的に再試行してよい。テータを処理することには、グルコース濃度、測定単位、食事フラグ、コメント、計器のシリアル番号、制御ソリューション（ｙｅｓ／ｎｏ）、ドッキングステーションのシリアル番号、及びドッキングステーションのバッテリーレベルを収集することを含んでよい。次に、医師、看護師、糖尿病療養指導士、又は医療提供者は、サーバ３００に転送されたデータを確認し、ユーザーの総体的な健康状態を評価し、場合によっては治療上の助言を与えてよい。データをサーバ３００に転送する前に、ドッキングステーション１００は、例えばデータの送信済み部分を判定して、未送信部分のみを送信するなど、データをフィルタリングしてよい。ドッキングステーションのバッテリーレベルは、医師、看護師、糖尿病療養指導士、又は医療提供者が、電源が少なくなった場合に、ユーザーにバッテリーの交換を助言したり、未使用のバッテリーを有する別のドッキングステーションの使用を助言したりできるように転送されてよい。ドッキングステーション１００は、データがサーバ３００に送信される前に、検査計器２００のシリアル番号に基づいたデータキーを使用して、データを暗号化してよい。
【００３４】
ドッキングステーション１００の第１の時計１１６は、サーバ３００に日時を送信してよい。サーバ３００の日時と違った場合は、第１の時計１１６の日時が修正されてよい。ドッキングステーション１００は検査計器２００が取り外された時期を判定し、かかる取り外しが全データの転送前に行われた場合には、第１のディスプレイ１０２にユーザーに対するメッセージを提供してよい。
【００３５】
第１のディスプレイ１０２は画像を表示して、ユーザーへのフィードバックを提供してよい。例えば画像は、サーバ３００に転送された過去のグルコース測定値に基づいた、ユーザーの医療提供者からのメッセージを含んでよい。第１のディスプレイ１０２は、ドッキングステーション１００の使用中に点灯するが、動作が行われない期間はスイッチが切れる、バックライトを有してよい。第１のディスプレイ１０２の画像は、第１のメモリ１１２に保存されてよい。画像が変わるたびに、新しい画像が第１のメモリ１１２に保存されよい。
【００３６】
ドッキングステーション１００は、第１のディスプレイ１０２での電気サージを監視してよい。より具体的には、ドッキングステーション１００は、第１のディスプレイ１０２の電圧ブーストでの電気サージを監視してよい。第１のディスプレイ１０２及び第１のマイクロプロセッサ１２２に電気的に接続されている第１のコンパレータ回路１２０は、印加電圧の増減を検出することによって電気サージを監視してよい。出願者らは、電圧ブーストの印加電圧は、十分に強力なＥＳＤイベント後に切断される傾向にあることを発見した。しかし特定の状況下では、ＥＳＤイベントは、電圧ブーストの印加電圧を増加させることがある。第１のディスプレイ１０２に対する印加電圧が所定の範囲内ではないために電気サージが検出された場合、第１のディスプレイ１０２は保存された画像に更新されなければならない。第１のコンパレータ回路１２０が所定の範囲内ではない電気サージを検出すると、第１のディスプレイ１０２が再初期化されてから、保存された画像に更新されるように、第１のマイクロプロセッサ１２２のインタラプトをもたらしてよい。
【００３７】
所定の範囲は、下限及び上限を含んでよい。一実施形態では、下限は、約１０ボルト未満であってよく、上限は無限であってよい。下限は、図７Ｂに示されるように、正入力３に与えられる１．６５ボルトの基準電圧に基づいてよい。したがって、下限は１．６５ボルトを０．１６７の倍率で除した値、つまり９．９ボルトであってよい。ＥＳＤイベントが電圧ブーストによる印加電圧の増加をもたらさない状況では、上限が無限に設定されてよい。
【００３８】
ＥＳＤが電圧ブーストによる印加電圧の増減をもたらす別の実施形態では、下限が約１０ボルト未満であってよく、上限は約１２ボルト〜約１３ボルトの範囲であってよい。上限は、電圧ブースト回路の上限仕様値に設定してよい。あるいは、上限仕様値に印加電圧の所定の短期間の変動を説明する増分値を加えた値に設定してもよい。電圧ブーストが約１１ボルト〜約１２ボルトの範囲の標準的な動作特性を有する状況では、上限値が約１２ボルト以上に設定されてよい。
【００３９】
出願者らは、電気サージを検出するために第１のコンパレータ回路１２０を使用すること及び各画像を保存するために第１のメモリを使用することは、第１のディスプレイ１０２がフリーズする可能性を低減するために役立つことを発見した。その上、第１の静電容量回路１１０を使用することは、ＥＳＤから発生する問題の危険性を更に低減する。
【００４０】
ドッキングステーション１００を検査計器２００に結合する前に、検査計器２００は１つ以上の検査ストリップを使用して検査されてよい。検査では、検査ストリップ２１１は検査計器２００に嵌合されてよい。次に、血液検体２１５は検査ストリップ２１１に付加されてよい。次に、検査計器２００は血液検体２１５のグルコース濃度を測定してよい。グルコース濃度の測定プロセスは、グルコースから酸化型への物理的転換を含んでよい。
【００４１】
一実施形態では、検査計器２００の操作方法は、第２のディスプレイ２０２で画像を表示することを含む。第２のディスプレイ２０２の画像は、第２のメモリ２１２に保存されてよい。画像が変わるたびに、新しい画像が第２のメモリ２１２に保存されよい。
【００４２】
検査計器２００は、第２のディスプレイ２０２での電気サージを監視してよい。より具体的には、検査計器２００は、第２のディスプレイ２０２の電圧ブーストでの電気サージを監視してよい。第２のディスプレイ２０２及び第２のマイクロプロセッサ２２２に電気的に接続されている第２のコンパレータ回路２２０は、印加電圧の増減を検出することによって電気サージを監視してよい。出願者らは、電圧ブーストの印加電圧は、十分に強力なＥＳＤイベント後に切断される傾向にあることを発見した。しかし特定の状況下では、ＥＳＤイベントは、電圧ブーストの印加電圧を増加させることがある。第２のディスプレイ２０２に対する印加電圧が範囲内ではないために電気サージが検出された場合、第２のディスプレイ２０２は保存された画像に更新されなければならない。第２のコンパレータ回路２２０が所定の範囲内ではない電気サージを検出すると、第２のディスプレイ２０２が再初期化されてから、保存された画像に更新されるように、第２のマイクロプロセッサ２２２のインタラプトをもたらしてよい。検査計器２００の所定の範囲は、ドッキングステーション１００とほぼ同じであってよい。
【００４３】
特定の状況下では、ＥＳＤストライクがディスプレイで検出されることはあるが、ＥＳＤはマイクロプロセッサの機能を中断させない。したがって、ＥＳＤストライクがディスプレイで検出されると、マイクロプロセッサは保存された画像に更新し、検査を続行することができる。ＥＳＤのためにディスプレイが一時的にフリーズしたとしても、マイクロプロセッサをリセットし、ただちに以前に保存された画像でディスプレイを更新して検査を続行できるために、ユーザーはフリーズを認識しないであろう。
【００４４】
例えば検査計器２００は、第２のディスプレイ２０２に幾つかのアイコン（検査ストリップ、指、及び一滴の血液）を点滅させ、ユーザーが検査ストリップに血液を付加できることを示してよい。ＥＳＤ低減メカニズムが配備されない第１のシナリオでは、十分に強力なＥＳＤイベントによってディスプレイがフリーズすることがある。検査ストリップに血液を付加することをユーザーに促すアイコンがまだ表示されているため、ユーザーが血液の付着した検査ストリップに更に付加することがある。次に検査計器は検査を実行するが、ディスプレイがフリーズしているため、グルコース濃度は表示されない。マイクロプロセッサはまだ機能しているため、正確なグルコース濃度は算出されるが、ディスプレイがフリーズしているので表示できない。画面のフリーズを解除するために、ユーザーはバッテリーを取り外して再挿入するか、計器の電源を切断してから投入し、マイクロプロセッサをリセットし、次にディスプレイを更新してよい。第１のシナリオでは、ユーザーがグルコース濃度の出力を確認できないため、検査ストリップは浪費される可能性が高い。
【００４５】
本明細書に記載のＥＳＤ低減方法が使用される第２のシナリオでは、比較的強力なＥＳＤイベントがディスプレイで発生しても、検査が中断することなく実行可能である。このシナリオでは、十分に強力なＥＳＤによってディスプレイがフリーズすることがある。例えば、検査ストリップに血液を付加することをユーザーに促すアイコンが、ディスプレイ上に表示されたままになる。しかし、コンパレータ回路が電気サージを認識し、自動的にディスプレイを再初期化するため、以降のマイクロプロセッサコマンドに基づいてディスプレイを更新できる。ディスプレイが更新され、ユーザーがＥＳＤイベントの発生を認識することなく、以前保存された、検査ストリップへの付加をユーザーに促すアイコンを表示できる。ディスプレイはフリーズしないため、以降のマイクロプロセッサコマンドに反応して検査を実行し、算出されたグルコース濃度を表示できる。したがって、比較的強力なＥＳＤイベントが一時的にディスプレイをフリーズさせても、検査ストリップの浪費に悩まされることなく、有効なグルコース濃度が画像として表示される。
【００４６】
本明細書では本発明の好ましい実施形態が図示、説明されているが、こうした実施形態はあくまで例として与えられたものであることは当業者には明らかであろう。例えば本発明は、ドッキングステーション及びグルコース測定器のみに適用されるのではなく、電源を必要とし、リセット可能な任意の電子装置、例えばインスリン注入ポンプ、継続的グルコース監視システムなどにも適用されてよい。本発明から逸脱することなく、多くの変形例、変更例、及び代替例が、当業者には思い浮かぶだろう。本発明の実施に際し本明細書で述べた本発明の実施形態には、様々な代替例を用い得る。以下の特許請求の範囲は発明の範囲を規定することを目的としたものであり、特許請求の範囲に含まれる方法及び構造並びにそれらの均等物をこれによって網羅することを目的としたものである。
【図１】
0005421382.tif 000002
【図２】
0005421382.tif 000003
【図３】
0005421382.tif 000004
【図４】
0005421382.tif 000005
【図５】
0005421382.tif 000006
【図６】
0005421382.tif 000007
【図７Ａ】
0005421382.tif 000008
【図７Ｂ】
0005421382.tif 000009
【図８Ａ】
0005421382.tif 000010
【図８Ｂ】
0005421382.tif 000011
【図９】
0005421382.tif 000012